(57)【要約】【課題】一般的な動作時の運動機能性と、好適なシルエットとを両立するパンツの設計を可能にするパンツパターンの作製方法の提供。【解決手段】パンツパターンの作製方法であって、（１）パンツ後身頃パターンを上部と下部とに分ける工程、（２）前記上部を反時計回りに回転させることにより、前記上部と前記下部との重なり部を形成する工程、（３）脇線上端を回転させて新脇線上端を画定する工程、及び（４）新脇線と新ウエストラインとを画定する工程、をこの順に行うことによって後身頃パターンを修正することを含む、方法。【選択図】図１Ｂ
2019183314.tif 000002
【特許請求の範囲】
【請求項１】
パンツパターンの作製方法であって、
下記工程（１）〜（４）：
（１）脇線を左側、股ぐり線を右側に配置したパンツ後身頃パターンを、股上線と平行に、臀部後突点を通る線を境に上部と下部とに分ける工程、
（２）前記臀部後突点を通る線と股ぐり線との交点ｏを支点として、前記上部を反時計回りに、既定角度θ１にて回転させることにより、前記上部と前記下部との重なり部を形成する工程、
（３）前記重なり部を有する前記上部の股ぐり線上端を新股ぐり線上端ｒとして画定し、前記新股ぐり線上端ｒを支点として、前記重なり部を有する前記上部の脇線上端ｓを時計回りに既定角度θ２にて回転させた、新脇線上端ｔを画定する工程、及び
（４）前記新脇線上端ｔから股上線まで延びる新脇線と、前記新脇線上端ｔから前記新股ぐり線上端ｒまで延びる新ウエストラインとを画定する工程、
をこの順に行うことによって後身頃パターンを修正することを含み、
前記既定角度θ１は、前記股上線の垂線に対して新股ぐり線が８°〜１７°傾斜するように予め設計された角度であり、
前記既定角度θ２は、新股ぐり線上端ｒを中心とする円弧ｓｔと、前記重なり部において前記交点ｏに向かい合う弧とが、等しい長さとなるように予め設計された角度である、方法。
【請求項２】
前記パンツパターンが、下記条件（ａ）〜（ｅ）：
（ａ）前ベルト巾ＸＦ（単位：ｃｍ）を含む前股ぐり線の長さＹＦ（単位：ｃｍ）と、後ベルト巾ＸＢ（単位：ｃｍ）を含む後股ぐり線の長さＹＢ（単位：ｃｍ）との和が、５６ｃｍ〜６４ｃｍ；
（ｂ）０．５９≦（ＹＦ−ＸＦ）／（ＹＢ−ＸＢ）≦０．６８；
（ｃ）０≦ＸＦ≦５、かつ０≦ＸＢ≦５；
（ｄ）１７≦ＹＦ−ＸＦ≦２６；及び
（ｅ）２９≦ＹＢ−ＸＢ≦３８；
を満たす、請求項１に記載の方法。
【請求項３】
前記パンツパターンが、下記条件（ｆ）〜（ｉ）：
（ｆ）０．６０≦（ＹＦ−ＸＦ）／（ＹＢ−ＸＢ）≦０．６６；
（ｇ）３≦ＸＦ≦５、かつ３≦ＸＢ≦５；
（ｈ）１８≦ＹＦ−ＸＦ≦２３；及び
（ｉ）３０≦ＹＢ−ＸＢ≦３５；
を満たす、請求項２に記載の方法。
【請求項４】
１箇所以上のダーツ部を配置する工程を含む、請求項１〜３のいずれか一項に記載の方法。
【請求項５】
作製されたパンツパターンをマスターパンツパターンとしてグレーディングする工程を更に含む、請求項１〜４のいずれか一項に記載の方法。
【請求項６】
前記パンツパターンが成人女性用である、請求項１〜５のいずれか一項に記載の方法。
【発明の詳細な説明】
【技術分野】
【０００１】
本発明は、動作時の運動機能性と、余りじわや寄れ、ダブリ、ひきつれじわが少ない好適なシルエットとを両立するパンツ、特に、標準体型の成人女性の既製服として有用なパンツの設計に使用できるパンツパターンの作製方法に関する。
【背景技術】
【０００２】
昨今、性別年齢季節問わず、パンツスタイルのニーズが高まっている。パンツは、スポーツ用、作業用といった特殊な用途から、ジーンズ、チノパンツ等のカジュアル用途、更には、学生用、企業用の制服、ビジネススーツ、フォーマル用途等にまで広がりがあり、そのパターンの種類は多種多様である。
【０００３】
パターン上で、パンツの運動機能性を高める方法としては、臀部、腹部、脚周りのゆとり量を多くする方法が一般的である。例えば、股ぐり線を長くする、後ろ股ぐり幅を長くする、大腿周径を長くとるなどがある（非特許文献１）。
【０００４】
しかし、こうしたゆとりは、パンツの静止時のシルエットとして、だぶつきや、余りしわの発生につながる。つまり、動作時の運動機能性のためのゆとりとシルエットの両立は困難である。
【０００５】
脚を上げる動作が行い易く、且つスマートに見えるズボンに関するパターンとして、大腿部から膝にかけての前身頃、後身頃の幅と、脇、内股の縫合位置、前身頃の山折り線の位置、ふくらはぎ部の前身頃、後身頃の幅、ズボンの前後丈に着目したパンツの製作方法がある（特許文献１）。この方法は、大腿部の脚のシルエット、脚上げにおける運動機能性には一定の効果があるが、臀部周りの運動機能性は十分考慮されていない。また、しゃがむ、椅子に座る等、臀部が起点となる動作で窮屈に感じる等の課題がある。
【０００６】
また、ズボンの身頃の長さ方向に切り替えラインを含み、両足を肩幅に開いた状態で前傾且つ前屈の姿勢（基本姿勢）および当該基本姿勢から動作を行う運動性能に優れ、見栄えが良いズボンが記載されている（特許文献２）。この方法は、身頃の切り替えラインが目立つため、ビジネススーツやフォーマル用途に応用するためには、シルエット、デザイン性の観点から課題がある。
【先行技術文献】
【特許文献】
【０００７】
【特許文献１】特開２０１５−０３４３５３号公報
【特許文献２】特開２０１４−０２９０４１号公報
【非特許文献】
【０００８】
【非特許文献１】文化ファッション体系  改訂版・服飾造形講座２  スカート・パンツ（第１３４頁）（文化服装学院編）
【発明の概要】
【発明が解決しようとする課題】
【０００９】
本発明は、上記課題を解決し、しゃがむ、脚を上げる等の一般的な動作時の運動機能性と、余りじわや寄れ、ダブリ、ひきつれじわが少ない好適なシルエットとを両立するパンツの設計を可能にするパンツパターンの作製方法、特に、幅広い用途に応用可能であり、ビジネススーツ、フォーマル用途等に特に好適であり、既製服としても有用で、特に成人女性用に最も好適なパンツの設計を可能にするパンツパターンの作製方法の提供を目的とする。
【課題を解決するための手段】
【００１０】
本発明者らは、上記課題を解決するために、（１）マルチン計測及び３Ｄボディスキャンによる下肢計測データの収集、（２）パンツパターン試作、（３）パンツ縫製、及び（４）縫製品の着用静立位及び動作時の両方での、シルエット及び運動機能性の評価、を繰り返し実施した。その結果、パンツの運動機能性とシルエットとを両立するためには、後左身頃と後右身頃の股ぐり線を傾斜させる一方で、股ぐり線の前後長の和、及びそれらの比の変更、並びに股ぐり線長さの増加は必要最小限に留めることが有効であることを見出した。
【００１１】
したがって、本発明は、下記の構成を包含する。
［１］  パンツパターンの作製方法であって、
下記工程（１）〜（４）：
（１）脇線を左側、股ぐり線を右側に配置したパンツ後身頃パターンを、股上線と平行に、臀部後突点を通る線を境に上部と下部とに分ける工程、
（２）前記臀部後突点を通る線と股ぐり線との交点ｏを支点として、前記上部を反時計回りに、既定角度θ１にて回転させることにより、前記上部と前記下部との重なり部を形成する工程、
（３）前記重なり部を有する前記上部の股ぐり線上端を新股ぐり線上端ｒとして画定し、前記新股ぐり線上端ｒを支点として、前記重なり部を有する前記上部の脇線上端ｓを時計回りに既定角度θ２にて回転させた、新脇線上端ｔを画定する工程、及び
（４）前記新脇線上端ｔから股上線まで延びる新脇線と、前記新脇線上端ｔから前記新股ぐり線上端ｒまで延びる新ウエストラインとを画定する工程、
をこの順に行うことによって後身頃パターンを修正することを含み、
前記既定角度θ１は、前記股上線の垂線に対して新股ぐり線が８°〜１７°傾斜するように予め設計された角度であり、
前記既定角度θ２は、新股ぐり線上端ｒを中心とする円弧ｓｔと、前記重なり部において前記交点ｏに向かい合う弧とが、等しい長さとなるように予め設計された角度である、方法。
［２］  前記パンツパターンが、下記条件（ａ）〜（ｅ）：
（ａ）前ベルト巾ＸＦ（単位：ｃｍ）を含む前股ぐり線の長さＹＦ（単位：ｃｍ）と、後ベルト巾ＸＢ（単位：ｃｍ）を含む後股ぐり線の長さＹＢ（単位：ｃｍ）との和が、５６ｃｍ〜６４ｃｍ；
（ｂ）０．５９≦（ＹＦ−ＸＦ）／（ＹＢ−ＸＢ）≦０．６８；
（ｃ）０≦ＸＦ≦５、かつ０≦ＸＢ≦５；
（ｄ）１７≦ＹＦ−ＸＦ≦２６；及び
（ｅ）２９≦ＹＢ−ＸＢ≦３８；
を満たす、上記態様１に記載の方法。
［３］  前記パンツパターンが、下記条件（ｆ）〜（ｉ）：
（ｆ）０．６０≦（ＹＦ−ＸＦ）／（ＹＢ−ＸＢ）≦０．６６；
（ｇ）３≦ＸＦ≦５、かつ３≦ＸＢ≦５；
（ｈ）１８≦ＹＦ−ＸＦ≦２３；及び
（ｉ）３０≦ＹＢ−ＸＢ≦３５；
を満たす、上記態様２に記載の方法。
［４］  １箇所以上のダーツ部を配置する工程を含む、上記態様１〜３のいずれかに記載の方法。
［５］  作製されたパンツパターンをマスターパンツパターンとしてグレーディングする工程を更に含む、上記態様１〜４のいずれかに記載の方法。
［６］  前記パンツパターンが成人女性用である、上記態様１〜５のいずれかに記載の方法。
【発明の効果】
【００１２】
本発明によれば、しゃがむ、脚を上げる等の一般的な動作時の運動機能性と、余りじわや寄れ、ダブリ、ひきつれじわが少ない好適なシルエットとを両立するパンツの設計を可能にするパンツパターンの作製方法、特に、幅広い用途に応用可能であり、ビジネススーツ、フォーマル用途等に特に好適であり、既製服としても有用で、特に成人女性用に最も好適なパンツの設計を可能にするパンツパターンの作製方法が提供される。
【図面の簡単な説明】
【００１３】
【図１Ａ】図１Ａは、本発明の一態様に係るパンツパターンの作製方法を示す図である。
【図１Ｂ】図１Ｂは、本発明の一態様に係るパンツパターンの作製方法を示す図である。
【図２】図２は、本発明の一態様に係る方法で得られるパンツパターンの例を示す図である。
【図３】図３は、比較例１に係るパンツパターンの作製方法を示す図である。
【発明を実施するための形態】
【００１４】
以下、本発明を実施するための例示の形態（以下、「実施の形態」と略記する。）について詳細に説明する。尚、本発明は、以下の実施の形態に限定されるものではなく、その要旨の範囲内で種々変形して実施することができる。また、図面に付与された同一の符号は、同様の構成又は機能を有する要素を意味する。なお、本開示の図面はいずれも右身頃のパターンのみ示しているが、これら図面に示されるパンツは左右対称であることが意図され、したがって前左身頃及び後左身頃のパターンは図示していない。
【００１５】
パンツパターンにおける股ぐり線長さ、特に後身頃の股ぐり線長さは、パンツのデザインはもちろん、運動機能性を支配する。一方、過剰なゆとりはシルエットに悪い影響を及ぼす。本発明者らは、（１）後左身頃と後右身頃の股ぐり線を傾斜させる（これにより、例えば生地のバイアス方向におけるストレッチ性等の生地物性を最大限活用できる等の利点が得られる）、（２）股ぐり線の前後長の和、及びそれらの比は大きく変更しない、及び（３）股ぐり線長さの増加を必要最小限に留める、ように後身頃パターンを修正することが、運動機能性とシルエットとの良好な両立に有効であることを見出した。
【００１６】
図１Ａ及びＢは、本発明の一態様に係るパンツパターンの作製方法を示す図である。図１Ａ及びＢを参照し、本実施の形態の方法は、下記工程（１）〜（４）をこの順に行うことによって後身頃パターンを修正することを含む。
【００１７】
図１Ａは、前身頃パターンＦ及び後身頃の元パターン（すなわち修正前のパターン）Ｂ１を示している。元パターンＢ１において、股上線ａ、及び該股上線ａと平行で臀部後突点を通る線ｂは、前身頃パターンＦの股上線ａ及び股上線ａと平行で臀部後突点を通る線ｂにそれぞれ対応するように画定されており、ウエストライン１０１は、脇線上端ｍから股ぐり線上端ｐまで延びている。
【００１８】
図１Ａを参照し、工程（１）においては、後身頃の元パターンＢ１を、脇線１０２（すなわち、脇線上端ｍから、股上線ａ上の脇線下端ｎまで延びる線）を左側、股ぐり線１０３（すなわち、股ぐり線上端ｐから、臀部後突点を通る線ｂ上の交点ｏを通って、股上線ａ上の股ぐり線下端ｑまで延びる線）を右側に配置して、臀部後突点を通る線ｂを境に上部１０と下部２０とに（例えば、臀部後突点を通る線ｂに切込みを入れることによって）分ける。なお、前記股ぐり線１０３において、股ぐり線上端ｐと前記交点ｏとを結ぶ区間は、直線となる。
【００１９】
図１Ｂを参照し、次いで、工程（２）において、臀部後突点を通る線ｂと股ぐり線１０３との交点ｏを支点として、上部１０を反時計回りに、既定角度θ１にて回転させることにより、下部２０との重なり部Ｓを有する上部１０ｔを有する傾斜パターンＢ２を得る。既定角度θ１は、股上線ａの垂線ｖに対して、後述の新股ぐり線における新股ぐり線上端と前記交点ｏを通る直線のなす角度θが８°〜１７°にて傾斜するように予め設計された角度である。既定角度θ１は、前記交点ｏと上部１０の股ぐり線における股ぐり線上端ｐを通る直線ｏｐと、前記交点ｏと上部１０ｔの股ぐり線における新股ぐり線上端ｒを通る直線ｏｒとがなす角度として特定され得る。
【００２０】
図１Ｂを参照し、次いで、工程（３）において、重なり部Ｓを有する上部１０ｔの新股ぐり線上端ｒを支点として、上部１０ｔの脇線上端ｓを時計回りに既定角度θ２にて回転させた、新脇線上端ｔを画定して、傾斜パターンＢ３を得る。既定角度θ２は、新股ぐり線上端ｒを中心とする円弧ｓｔと、重なり部Ｓにおいて交点ｏに向かい合う弧（すなわち、重なり部Ｓを囲む外縁のうち、交点ｏを通る２直線以外の部分）とが、等しい長さとなるように予め設計された角度である。なお、円弧ｓｔの長さが重なり部Ｓにおける交点ｏに向かい合う弧の長さの１００±２．５％の範囲内である場合、本発明の効果を特に良好に得ることができる。
【００２１】
図１Ｂを参照し、次いで、工程（４）において、新脇線上端ｔから股上線ａ上の脇線下端ｎまで延びる新脇線１０５と、新脇線上端ｔから新股ぐり線上端ｒまで延びる新ウエストライン１０４とを画定する。またこれにより、新股ぐり線上端ｒから股上線ａ上の股ぐり線下端ｑまで延びる新股ぐり線１０６を画定できる。新ウエストライン１０４、新脇線１０５、及び新股ぐり線１０６は、当業者の通常のパターン設計技法に従って滑らかに延びるように引くことができる。なお、本発明の効果を良好に得るためには、新脇線１０５の長さは脇線１０２の長さの１００±１．５％の範囲内であることが好ましく、１００±０．５％の範囲内であることがより好ましく、１００％が最も好ましい。
【００２２】
パンツパターンは、当業者による通常の設計に従って、ベルト部、ダーツ等を適宜含んでよい。例えば、ベルト部を有するパターンの場合の脇線、股ぐり線、ウエストライン等はそれぞれベルト部を含んで画定される。
【００２３】
好ましい態様において、本実施の形態の方法は、１箇所以上のダーツ部を配置する工程を含む。ダーツ部は、前身頃若しくは後身頃又はこれらの両者に、当業者の通常のパターン設計技法で配置してよい。ダーツ部は、腰部から胴部の身体の丸みに添いやすくする効果がある。
【００２４】
本実施の形態の方法で得られるパンツパターンの後身頃において、股上線ａの垂線ｖに対して新股ぐり線１０６がなす角度は、８°〜１７°とされる。なお当該角度は、当該垂線と、新股ぐり線における当該新股ぐり線上端（例えばベルト部が存在する場合はベルト部を除いた新股ぐり線上端となる）と前記交点ｏを通る直線とがなす角度を意味する。当該角度は、生地の物性（例えば伸縮性）の異方性をパンツの運動機能性向上に有効に利用する観点から、８°以上であり、好ましくは１０°以上、より好ましくは１２°以上であり、またパンツの良好な美観を得る観点から、１７°以下であり、好ましくは１６°以下、より好ましくは１５°以下である。生地の採り効率、すなわちロスの低減も考慮すると、１３°以上、１５°以下が最も好ましい。通常、パンツの製造において、生地の経地の目線の方向は、パンツ長さ方向（すなわち着用者の身長方向）と略平行とされるのが一般的である。この場合、上記角度を上記範囲に調整することは、良好な運動機能性の実現に寄与する。
【００２５】
股ぐり線長さ、特に後身頃の股ぐり線長さは、パンツのデザインはもちろん、運動機能性を支配する。一方、過剰なゆとりはシルエットに悪い影響を及ぼす。本実施の形態においては、後左身頃及び後右身頃の股ぐり線を、長さ増加を最小限にしつつ股上線の垂線に対して傾斜させることで、生地の物性の異方性（例えば、生地が経方向及び緯方向よりもバイアス方向において伸縮しやすい等の異方性）を最大限活用できる。また、本実施の形態に係るパンツは、上記のような手段によって運動機能性とシルエットとを両立させるものであるため、一般的なグレーディングの手法により容易にサイズ展開でき、例えば既製服として有用である。特に、成人女性用のパンツにおいては、ウエスト寸法とヒップ寸法との差が比較的大きいことから運動機能性とシルエットとの両立が比較的困難であるが、本実施の形態に係る方法で作製されるパンツパターンによれば、このような成人女性用のパンツにおいても運動機能性とシルエットとを簡便な手段にて良好に両立できる。したがって本実施の形態に係る方法で作製されるパンツは成人女性用（例えば標準体型の成人女性用）の既製服として特に有用である。
【００２６】
図２は、本発明の一態様に係る方法で得られるパンツパターンの例を示す図である。図２を参照し、好ましい態様においては、修正後パターンにおいて、前股ぐり線の長さと後股ぐり線の長さとの和、及びこれらの比率が特定範囲とされている。このような設計に係るパンツパターンは、運動機能性とシルエットとのより高度な両立に寄与する。
【００２７】
図２を参照し、前身頃パターン１及び後身頃パターン２のそれぞれにおいて、前ベルト巾ＸＦは、パンツの前中心線上の、ベルト部上端である身頃上端１２からベルト部下端２２までの距離であり、後ベルト巾ＸＢは、パンツの後中心線上の、ベルト部上端である身頃上端１４からベルト部下端２４までの距離である。本実施の形態のパンツにおいて、ベルト巾はパンツの胴方向全周を通じて同じでも異なってもよい。例えば、パンツの脇線上のベルト部上端（身頃上端１１）−ベルト部下端２１間及びベルト部上端（身頃上端１３）−ベルト部下端２３間、パンツの前中心線上のベルト部上端（身頃上端１２）−ベルト部下端２２間、及びパンツの後中心線上のベルト部上端（身頃上端１４）−ベルト部下端２４間、の距離は互いに同じでも異なってもよい。図２では、ベルト巾がパンツの胴方向全周を通じて同じである例を示している。図２においては、ベルト部上端の位置が身頃上端に一致する場合を示しているが、ベルト部の配置はこれに限定されず、またベルト部が存在しなくてもよい。また図２においては、後右身頃にダーツを１箇所有する場合を示しているが、ダーツの配置はこれに限らず、ダーツを前身頃に有してもよく、また、ダーツの数は０箇所または２箇所以上でもよい。好ましい態様においては、ダーツは１箇所以上配置される。
【００２８】
図２において、後股ぐり線は、身頃上端１４又はベルト部下端２４からヒップトップ部４４（これはパンツの臀部後突点を通る線ｂを画定する）まで直線である。
【００２９】
図２を参照し、好ましい態様において、パンツパターンは、下記条件（ａ）〜（ｅ）：
（ａ）前ベルト巾ＸＦ（単位：ｃｍ）を含む前股ぐり線の長さＹＦ（単位：ｃｍ）と、後ベルト巾ＸＢ（単位：ｃｍ）を含む後股ぐり線の長さＹＢ（単位：ｃｍ）との和が、５６ｃｍ〜６４ｃｍ；
（ｂ）０．５９≦（ＹＦ−ＸＦ）／（ＹＢ−ＸＢ）≦０．６８；
（ｃ）０≦ＸＦ≦５、かつ０≦ＸＢ≦５；
（ｄ）１７≦ＹＦ−ＸＦ≦２６；及び
（ｅ）２９≦ＹＢ−ＸＢ≦３８；
を満たす。
【００３０】
前ベルト巾ＸＦを含む前股ぐり線の長さＹＦと、後ベルト巾ＸＢを含む後股ぐり線の長さＹＢとの和は、標準体型の着用者への好適なシルエットと運動機能性の両立の観点から、好ましくは５６ｃｍ〜６４ｃｍであり、より好ましくは５８ｃｍ〜６２ｃｍである。
【００３１】
後股ぐり線の長さＹＢから後ベルト巾ＸＢを差し引いた長さ（ＹＢ−ＸＢ）に対する、前股ぐり線の長さＹＦから前ベルト巾ＸＦを差し引いた長さ（ＹＦ−ＸＦ）の比（（ＹＦ−ＸＦ）／（ＹＢ−ＸＢ））は、良好なシルエットと運動機能性を得る観点から、好ましくは０．５９以上、より好ましくは０．６０以上、更に好ましくは０．６１以上であり、好ましくは０．６８以下、より好ましくは０．６７以下、更に好ましくは０．６５以下である。
【００３２】
前股ぐり線の長さＹＦから前ベルト巾ＸＦを差し引いた長さ（ＹＦ−ＸＦ）は、標準体型の着用者に好適に適合させる観点から、好ましくは１７ｃｍ〜２６ｃｍであり、より好ましくは１７ｃｍ〜２３ｃｍである。
【００３３】
後股ぐり線の長さＹＢから後ベルト巾ＸＢを差し引いた長さ（ＹＢ−ＸＢ）は、標準体型の着用者に好適に適合させる観点から、好ましくは２９ｃｍ〜３８ｃｍであり、より好ましくは２９ｃｍ〜３５ｃｍである。
【００３４】
前ベルト巾ＸＦ及び後ベルト巾ＸＢは、０ｃｍ、すなわち身頃に含めたデザインでもよく、別途ベルト布を用意する場合は、パンツの良好な美観及び運動機能性を得る観点から好ましくは５ｃｍ以下であり、より好ましくは３ｃｍ〜５ｃｍであってよい。好ましい態様においては、ＸＦとＸＢとは等しい。またベルト芯地は、適宜用いて良い。
【００３５】
特に好ましい態様において、パンツパターンは、下記条件（ｆ）〜（ｉ）：
（ｆ）０．６０≦（ＹＦ−ＸＦ）／（ＹＢ−ＸＢ）≦０．６６；
（ｇ）３≦ＸＦ≦５、かつ３≦ＸＢ≦５；
（ｈ）１８≦ＹＦ−ＸＦ≦２３；及び
（ｉ）３０≦ＹＢ−ＸＢ≦３５；
を満たす。
【００３６】
表地を構成する繊維の素材は、限定されないが、天然繊維（例えば、羊糸、シルク、綿）、再生セルロース繊維（例えば、キュプラ、レーヨン、リヨセル等）、合繊繊維（例えば、ポリエチレンテレフタレート（ＰＥＴ）、ポリトリメチレンテレフタレート、ナイロン、アクリル、ポリウレタン等）、半合成繊維（例えば、アセテート等）の１種又は２種以上の組合せが例示され、長繊維、短繊維いずれでもよく、また原糸でも、加工糸でも、複合糸であってもよい。
【００３７】
表地を構成する繊維の繊度は、限定されないが、例えば、消費性能や厚み、目付のバランスから、ポリウレタン以外の長繊維ならば、好ましくは３３ｄｔｅｘ〜２００ｄｔｅｘ、より好ましくは５６ｄｔｅｘ〜１６７ｔｅｘ、綿番手ならば、２０番手〜８０番手、毛番手ならば、３８番手〜１２０番手が好ましく、ポリウレタン繊維であれば１７ｄｔｅｘ〜６６ｄｔｅｘが好ましい。
【００３８】
また、ポリウレタンは、フィラメントツイストヤーン、コアスパンヤーンの芯糸として用いてもよい。
【００３９】
パンツの表地の目付は、消費性能の観点から、１３０ｇ／ｍ２以上が好ましく、１５０ｇ／ｍ２以上がより好ましい。また、前記目付は、昨今の薄地軽量化のトレンド及び運動機能性の発揮という観点から、２８０ｇ／ｍ２以下が好ましく、１８０ｇ／ｍ２以下がより好ましい。
【００４０】
また、パンツの表地の厚みは、目付と同様の観点から、好ましくは０．２５ｍｍ以上、より好ましくは０．２８ｍｍ以上であり、好ましくは０．５０ｍｍ以下、より好ましくは０．３８ｍｍ以下である。
【００４１】
なお、ここで示した目付、厚みは、２０℃×６５％ＲＨの環境に保たれた恒温室にて布帛を一昼夜保管した後、同じく恒温室内で得た値である。目付（ｇ／ｍ2）は、精密電子天秤、厚みは、織物については、ＪＩＳ  Ｌ  １０９６規格に準拠した厚み計（ピーコック  定圧厚み計  ＦＦＡ１０、荷重２３．５ｋＰａ）、編物については、ＪＩＳ  Ｌ  １０１８規格に準拠した厚み計（ピーコック  定圧厚み計  ＦＦＧ１１、荷重０．７ｋＰａ）により測定した値である。
【００４２】
また、パンツの表地において、運動機能性の観点より、ＫＥＳ−ＦＢ１引張特性試験において得られるストレッチ率（ＥＭＴ）が、経方向に１％以上であることが好ましく、また、緯方向に３％以上であることが好ましく、５％以上であることがより好ましい。また、前記ストレッチ率（ＥＭＴ）は、繰り返し着用における生地のヘタリ軽減及びパンツの膝抜け抑制の観点からは、経方向に２５％以下であることが好ましく、１０％以下であることがより好ましく、また、緯方向に３０％以下であることが好ましく、１５％以下であることがより好ましい。
【００４３】
なお、ここで示したストレッチ率（ＥＭＴ）は、カトーテックＫＥＳ−ＦＢ１引張特性試験器標準測定条件、最大荷重  ５００ｇｆ／ｃｍ、測定速度  ０．２ｍｍ／ｓｅｃで得た値である。
【００４４】
更に、本実施の形態のパンツに、裏地を用いてもよい。裏地の素材、配置方法は特に限定されないが、表地と同一のパターンであることが望ましい。裏地の素材の例としては、キュプラ、レーヨン等の再生セルロース繊維や、ジアセテート、トリアセテート等の半合成繊維、ポリエステル（例えばポリエチレンテレフタレート（ＰＥＴ）やポリトリメチレンテレフタレート（ＰＴＴ））、ナイロン（例えばナイロン６やナイロン６６）等の合成繊維が挙げられる。配置方法としては、総裏仕様、前当て使用、後ろ当て仕様のいずれでもよいが、総裏仕様は表地のチクチク感や表地縫代の摩擦を防ぐことができるうえ、裏地に吸湿性がある素材を用いた場合は、下肢全体の不感蒸泄を処理することができるためより好ましい。
【００４５】
好ましい態様において、本実施の形態の方法は、作製されたパンツパターンをマスターパンツパターンとしてグレーディングする工程を更に含む。グレーディングは、従来公知の手法に従って行うことができ、例えば、市販のグレーディングソフトを用いてマスターパンツパターンを拡大又は縮小し、更に所望される箇所にサイズ調整を施すことで行ってよい。
【実施例】
【００４６】
以下、実施例を用いて本発明を更に説明するが、本発明はこれら実施例に何ら限定されない。
【００４７】
［実施例１］
（股ぐり線傾斜角度１５°、ベルト４ｃｍ、全股ぐり長６０ｃｍ）
図１Ａ及びＢに示す方法に従って、パンツパターンを作製した。
ベルト巾ＸＦ（＝ＸＢ）＝４ｃｍとし、前ウエスト長＝２０ｃｍ、股上線長＝２４ｃｍ、前股ぐり幅＝２．３ｃｍ、股下＝７０ｃｍ、ニーライン＝１９ｃｍ、裾巾＝１９ｃｍとしたストレートパンツの前身頃パターンＦを、股ぐり線を向かって右にして作製した。
【００４８】
続いて、この前身頃を基本とし、後ろウエスト長＝１９ｃｍ、後ろ股ぐり幅＝８．０ｃｍ、股下＝６９．５ｃｍ、ニーライン＝２２．８ｃｍ、裾巾＝２２．５ｃｍとした、ストレートパンツの後身頃の元パターンＢ１を、股ぐり線１０３を右に作製した。また、前身頃の股上線ａ、及び前身頃の股上線ａと平行で臀部後突点を通る線ｂを、それぞれ後身頃に延長し、後身頃の股上線ａ、及び臀部後突点を通る線ｂを画定した。後身頃において、股上線ａと平行で臀部後突点を通る線ｂと股ぐり線１０３との交点ｏを画定した。股上線ａに対する垂線ｖと、股ぐり線１０３とのなす角度θ（すなわち、図１Ａ中、垂線ｖと線分ｏｐ（交点ｏと股ぐり線１０３における股ぐり線上端ｐとを通る線分）とがなす角度）は６°であった。
【００４９】
次に、股上線ａと平行で臀部後突点を通る線ｂを境に、これより上の部分を上部１０、下の部分を下部２０とした。交点ｏを支点として、上部１０を反時計回りに既定角度θ１にて回転させた。既定角度θ１は、股上線ａの垂線ｖと、傾斜後の股ぐり線とのなす角度（すなわち、図１Ｂ中、垂線ｖと線分ｏｒ（交点ｏと上部１０ｔの股ぐり線における新股ぐり線上端ｒとを通る線分）とがなす角度）が１５°になるように設計された角度である。本実施例では、股ぐり線が上端から交点ｏまで直線となるよう設計したため、既定角度θ１は９°であった。この位置で上部１０ｔを固定して、元パターンＢ１に対して上部１０が傾斜されてなる上部１０ｔを有しかつ上部と下部との重なり部Ｓを有する傾斜パターンＢ２を得た。
【００５０】
引き続き、新股ぐり線上端ｒを中心として脇線上端ｓを時計回りに既定角度θ２にて回転させて、新脇線上端ｔを画定した。本実施例において、重なり部Ｓの交点ｏと向かい合う弧の長さは４ｃｍ、新股ぐり線上端ｒと脇線上端ｓとの距離は２２ｃｍであり、既定角度θ２は１０．５°であった。新脇線上端ｔから股上線ａまで滑らかに延びる新脇線１０５、新脇線上端ｔから新股ぐり線上端ｒまで滑らかに延びる新ウエストライン１０４、及び、新股ぐり線上端ｒから股上線ａまで滑らかに延びる（新股ぐり線上端ｒから交点ｏまでは直線、交点ｏから股ぐり線下端ｑまでは滑らかな曲線とした）新股ぐり線１０６を引き直して、元パターンＢ１の股ぐり線長と概略同じ股ぐり線長を有する、修正後パターンＢ４を得た。
【００５１】
このとき、前身頃パターンＦ及び後身頃の修正後パターンＢ４において、前股ぐり線ＹＦ＝２４ｃｍ、ＹＢ＝３６ｃｍ、従って、ＹＦ＋ＹＢ＝６０ｃｍ、（ＹＦ−ＸＦ）／（ＹＢ−ＸＢ）＝０．６２５、ＹＦ−ＸＦ＝２０ｃｍ、ＹＢ−ＸＢ＝３２ｃｍであった。
【００５２】
このパターンを用いて作製したパンツは、シルエットが美しく、運動機能性についても良好であった。
【００５３】
［比較例１］
図３は、比較例１に係るパンツパターンの作製方法を示す図である。
ベルト巾ＸＦ＝ＸＢ＝４ｃｍとし、実施例１と同様に（すなわち、図１Ａに示すように）前身頃パターンＦと後身頃の元パターンＢ１とを作製し、股上線ａと平行で臀部後突点を通る線ｂより上の部分を上部１０、下の部分を下部２０とした。次いで、図３を参照し、股上線ａと平行で臀部後突点を通る線ｂと脇線１０２との交点ｏｃを支点として、上部１０を反時計回りに９°回転させ、股上線ａの垂線ｖと、新股ぐり線１０６における新股ぐり線上端ｒを通る接線とがなす角度が１５°になるように固定し、上部１０が交点ｏｃを支点に１２°傾斜されてなる上部１０ｔを有する傾斜パターンＢＣ２を得た。次いで、上部１０ｔの新脇線上端ｓから股上線ａまで延びる新脇線１０５、新脇線上端ｓから新股ぐり線上端ｒまで延びる新ウエストライン１０４、及び新股ぐり線上端ｒから股上線ａまで滑らかに延びる（新股ぐり線上端ｒから臀部後突点を通る線ｂ上の点までは直線、当該点から股上線ａ上の点までは滑らかな曲線とした）新股ぐり線１０６を滑らかに引き直し、元パターンＢ１よりも４．０ｃｍ長い股ぐり線長を有する、修正後パターンＢＣ４を得た。
【００５４】
このとき、前身頃パターンＦ及び後身頃の修正後パターンＢＣ４において、前股ぐり線ＹＦ＝２４ｃｍ、ＹＢ＝４０ｃｍ、従って、ＹＦ＋ＹＢ＝６４ｃｍ、（ＹＦ−ＸＦ）／（ＹＢ−ＸＢ）＝０．５５６、ＹＦ−ＸＦ＝２０ｃｍ、ＹＢ−ＸＢ＝３６ｃｍであった。
【００５５】
このパターンを用いて作製したパンツは、だぶつき気味で、シルエットが悪く、またゆとりが多すぎて運動機能性についても好ましくなかった。
【産業上の利用可能性】
【００５６】
本発明に係るパンツパターンの製造方法は、ビジネススーツ、フォーマル用途等の種々の用途のパンツの製造に好適に適用でき、特に、既製服、中でも成人女性用のパンツの設計に有用である。
【符号の説明】
【００５７】
Ｆ    前身頃パターン
Ｂ１    元パターン
Ｂ２，Ｂ３，ＢＣ２    傾斜パターン
Ｂ４,ＢＣ４    修正後パターン
Ｓ    重なり部
ａ    股上線
ｂ    臀部後突点を通る線
ｍ，ｓ    脇線上端
ｎ    脇線下端
ｏ，ｏｃ    交点
ｐ    股ぐり線上端
ｑ    股ぐり線下端
ｒ    新股ぐり線上端
ｔ    新脇線上端
ｖ    垂線
１０，１０ｔ    上部
２０    下部
１０１    ウエストライン
１０２    脇線
１０３    股ぐり線
１０４    新ウエストライン
１０５    新脇線
１０６    新股ぐり線
【図１Ａ】
2019183314.tif 000003
【図１Ｂ】
2019183314.tif 000004
【図２】
2019183314.tif 000005
【図３】
2019183314.tif 000006